(57)【特許請求の範囲】
【請求項１】
パッケージに搭載された固体撮像素子を備えるカメラにおいて、
前記パッケージが保持される調整板と、
前記調整板を前記カメラの本体に取り付ける取付け部材と、
前記パッケージを前記調整板に固定するパッケージ固定手段とを備え、
前記パッケージ固定手段は、前記調整板に固定される固定部と、前記パッケージに当接して前記パッケージを前記調整板側に押圧する当接片と、前記固定部と前記当接片とを連結する連結片とを含み、前記当接片は前記固定部と平行となるよう前記連結片に対し屈曲していることを特徴とする固体撮像素子の位置調整機構。
【請求項２】
前記固体撮像素子の撮像領域が前記本体に設けられた撮影光学系の焦点面に一致するよう前記本体と前記調整板の相対的位置関係を調整するための調整手段をさらに有し、前記調整手段は、前記固定部と、前記固定部に連続して形成され、前記本体に当接し前記調整板を前記本体から離れる方向に付勢する付勢部とから成ることを特徴とする請求項１に記載の固体撮像素子の位置調整機構。
【請求項３】
前記固定部は薄板状の部材であり、前記押圧部及び前記付勢部は、前記固定部に対してそれぞれ所定の角度で、前記固定部の同一の平面側に延出するよう形成された薄板状の部材であることを特徴とする請求項２に記載の固体撮像素子の位置調整機構。
【請求項４】
前記固定部は矩形に成型され、前記押圧部は前記固定部の第１の端部に連続するよう形成され、前記付勢部は前記第１の端部と直交する第２の端部及び前記第１の端部と直交する第３の端部にそれぞれ連続するよう形成された一対の付勢片から成ることを特徴とする請求項３に記載の固体撮像素子の位置調整機構。
【請求項５】
前記パッケージ固定手段と前記調整手段は一体的に形成されていることを特徴とする請求項２に記載の固体撮像素子の位置調整機構。
【請求項６】
前記一対の付勢片は、所定の角度で屈曲しており、前記一対の付勢片のそれぞれの屈曲部の山側が前記本体に当接するよう、前記パッケージ固定手段及び前記調整手段が配設されることを特徴とする請求項４に記載の固体撮像素子の位置調整機構。
【請求項７】
前記パッケージ固定手段及び前記調整手段は、前記カメラの通常の姿勢における前記パッケージの左右周縁部に設けられることを特徴とする請求項２に記載の固体撮像素子の位置調整機構。
【請求項８】
前記押圧部及び前記付勢部は金属板ばねであることを特徴とする請求項２に記載の固体撮像素子の位置調整機構。
【請求項９】
前記取付け部材は調整ネジであり、前記付勢部と前記調整ネジの締め付け具合とにより前記本体と前記調整板の相対的位置が調整されることを特徴とする請求項２に記載の固体撮像素子の位置調整機構。
【請求項１０】
前記当接片と前記調整板との隙間が、前記当接片によって押圧される前記パッケージを含む被押圧部材の厚さよりもわずかに小さくなるように、前記連結片が前記固定部と前記当接片とを連結することを特徴とする請求項１に記載の固体撮像素子の位置調整機構。
【発明の詳細な説明】
【０００１】
【発明の属する技術分野】
本発明は、カメラにおける固体撮像素子の位置調整に関する。
【０００２】
【従来の技術】
従来、デジタルカメラには固体撮像素子としてＣＣＤ（Charge Coupled Device ）イメージセンサが用いられている。ＣＣＤイメージセンサは、実装されるプリント配線板において高い実装密度を実現するために、ＬＣＣ（Leadless Chip Carrier ）にパッケージ化されたものが用いられる。一般に、ＬＣＣパッケージの熱膨張係数とプリント配線板の基板に用いられるエポキシやポリイミド等の樹脂の熱膨張係数との間には不釣合いがある。従って、ＬＣＣパッケージを搭載する場合には可撓性を有するフレキシブルプリント配線板が用いられる。
【０００３】
一方、デジタルカメラの製造工程においては、ＣＣＤイメージセンサの撮像領域が撮影光学系の焦点面に一致するよう、ＣＣＤイメージセンサの位置調整が行なわれる。即ち、ＣＣＤイメージセンサの撮像領域は撮影光学系の光軸に直交させられ、かつその中心は撮影光学系の焦点に一致させられる。
【０００４】
上述のようにＬＣＣパッケージが実装されるフレキシブルプリント配線板は可撓性を有している。従って、ＣＣＤイメージセンサの位置調整を確実に行なうには、ＬＣＣパッケージをフレキシブルプリント配線板にはんだ付けにより電気的に接続した後、所定の硬度を有する板状の部材に固定し、さらに、板状部材に固定されたＣＣＤイメージセンサの撮像領域を撮影光学系の焦点面に一致させるよう、板状部材の位置調整を行なわなければならない。即ち、フレキシブルプリント配線板に実装されたＬＣＣパッケージのＣＣＤイメージセンサの撮像領域を撮影光学系の焦点面に一致させるためには、ＬＣＣパッケージを板状部材に固定する部材と、板状部材の位置調整を行なうための部材が必要である。
【０００５】
【発明が解決しようとする課題】
例えば、板状部材の位置調整を行なうための部材としてコイルスプリングを用い、その付勢力によりカメラ本体に対する板状部材の相対的な位置の調整を行なうものが知られている。しかしながら、板状部材をカメラ本体に取り付けるための部品毎にコイルスプリングを設けなければならない。従って、上述のＣＣＤイメージセンサの位置調整機構が複雑化するという問題があった。
【０００６】
本発明は以上の問題を解決するものであり、簡略な構成を有する固体撮像素子の位置調整機構を提供することを目的としている。
【０００７】
【課題を解決するための手段】
本発明にかかる固体撮像素子の位置調整機構は、撮影光学系とパッケージに搭載された固体撮像素子とを有するカメラにおいて、パッケージが保持される調整板と、調整板をカメラの本体に取り付ける取付け部材と、パッケージを調整板に固定するパッケージ固定手段と、固体撮像素子の撮像領域が撮影光学系の焦点面に一致するようカメラの本体と調整板の相対的位置関係を調整するための調整手段とを備え、パッケージ固定手段と調整手段は一体的に形成されていることを特徴とする。
【０００８】
好ましくは、パッケージ固定手段は、調整板に固定される固定部と、固定部に連続して形成されパッケージを調整板側に押圧する押圧部とから成り、調整手段は、同固定部と、固定部に連続して形成され、カメラの本体に当接し、調整板をカメラの本体から離れる方向に付勢する付勢部とから成り、押圧部及び付勢部は、例えば金属板ばねである。
【０００９】
好ましくは、固定部は薄板状の部材であり、押圧部及び付勢部は、固定部に対してそれぞれ所定の角度で、固定部の同一の平面側に延出するよう形成された薄板状の部材である。
【００１０】
好ましくは、固定部は矩形に成型され、押圧部は固定部の第１の端部に連続するよう形成され、付勢部は第１の端部と直交する第２の端部及び第１の端部と直交する第３の端部にそれぞれ連続するよう形成された一対の付勢片から成る。
【００１１】
好ましくは、押圧部は、パッケージに当接する当接片と、固定部と当接片とを連結する連結片とを備え、当接片は固定部と平行となるよう連結片に対し所定の角度で屈曲している。
【００１２】
好ましくは、一対の付勢片は、所定の角度で屈曲しており、一対の付勢片のそれぞれの屈曲部の山側がカメラの本体に当接するよう、パッケージ固定手段及び調整手段が配設される。
【００１３】
パッケージ固定手段及び調整手段は、例えば、カメラの通常の姿勢におけるパッケージの左右周縁部に設けられる。
【００１４】
取付け部材は例えば調整ネジであり、調整手段の付勢部と調整ネジの締め付け具合とにより本体と調整板の相対的位置が調整される。
【００１５】
本発明によれば、パッケージ固定手段と調整手段が一体化して形成されているので部品点数が削減されるため、コストの低減化が図られると共に固体撮像素子が搭載されたパッケージの取付けが容易となる。
【００１６】
尚、一体化されたパッケージ固定手段と調整手段は、カメラ内部におけるフレキシブルプリント配線板と他の部材との配置関係に応じて、例えば、固体撮像素子を実装したパッケージの上下周縁部に配設してもよい。
【００１７】
【発明の実施の形態】
以下、本発明の実施の形態を図面を参照して説明する。
図１は、本発明に係る実施形態が適用されるデジタルカメラを裏蓋側から示す分解斜視図である。尚、本明細書において「左」及び「右」とは、通常のカメラ姿勢において裏蓋側から見た場合の左右方向をさす。
デジタルカメラ１のカメラ本体１０において裏蓋２０側には、矩形の位置調整板３０が配設される。位置調整板３０は３本の調整ネジ３１、３２、３３によりカメラ本体１０に取り付けられる。調整ネジ３１及び３２は、位置調整板３０の右側端部の上端部、下端部近傍に穿設された穴３０Ａ、３０Ｂを挿通し、カメラ本体１０において穴３０Ａ、３０Ｂに対応する位置に設けられた受部１１、１２に螺合する。調整ネジ３３は、位置調整板３０の左側端部において上下方向の中央よりやや上端部よりに穿設された穴３０Ｃを挿通し、カメラ本体１０において穴３０Ｃに対応する位置に設けられた受部１３に螺合する。
【００１８】
位置調整板３０においてカメラ本体１０側の表面には、ＣＣＤイメージセンサ４０が実装されたＬＣＣパッケージ４１と、フレキシブルプリント配線板４２が配設される。ＬＣＣパッケージ４１はフレキシブルプリント配線板４２にはんだ付けされ電気的に接続されている。フレキシブルプリント配線板４２が位置調整板３０に当接するよう、ＬＣＣパッケージ４１は、右側周縁部において、金属板ばね４３及び固定ネジ５１、５２により位置調整板３０に固定され、左側周縁部において、金属板ばね４４及び固定ネジ５３、５４により位置調整板３０に固定される。
【００１９】
図２は金属板ばね４３の斜視図である。金属板ばね４３の固定片６０は薄板状の部材であり、上端部近傍及び下端部近傍にそれぞれ穴６０Ａ、６０Ｂが穿設されている。穴６０Ａ、６０Ｂにはそれぞれ上述の固定ネジ５１、５２が挿通させられる。図２において固定片６０の左側端部（第１の端部）、即ち、ＬＣＣパッケージ４１（図１参照）側の側端部には、押圧部６１が一体的に形成されている。押圧部６１は固定片６０と同様の薄板状の部材であり、固定片６０に対して所定の角度で延出する連結片６１Ａと、固定片６０と平行となるよう連結片６１Ａに対し所定の角度で屈曲された当接片６１Ｂから成る。
【００２０】
また、固定片６０の左側端部と直交する上端部（第２の端部）には、付勢片６２が一体的に形成されている。付勢片６２は固定片６０と同様の薄板状の部材である。付勢片６２は、固定片６０に対して所定の角度で上方向に延出し、かつ略中央部分で所定の角度で屈曲している。同様に、固定片６０の左側端部と直交する下端部（第３の端部）には、付勢片６３が一体的に形成されている。付勢片６３は固定片６０と同様の薄板状の部材であり、固定片６０に対して所定の角度で下方向に延出し、かつ略中央部分で所定の角度で屈曲している。
【００２１】
図２から明らかなように、押圧部６１、付勢片６２及び６３は、固定片６０において同一の平面側に延出している。さらに、図１に示すように、押圧部６１、付勢片６２及び６３が延出している側がデジタルカメラ１の本体１０側に向くよう、配設される。
【００２２】
ＬＣＣパッケージ４１の左周縁部側に配設される金属板ばね４４も、金属板ばね４３と同様の構成を有している。即ち、薄板状の固定部と、固定部に連続して形成された押圧部及び一対の付勢部を備えている。図１に示すように、金属板ばね４４は、ＬＣＣパッケージ４１の左側においてその押圧部がＬＣＣパッケージ４１側に位置づけられるよう配設され、かつ固定部の上下端部に設けられた付勢部及び押圧部が延出している側がデジタルカメラ１の本体１０側に向くよう配設される。
【００２３】
図３は、ＬＣＣパッケージ４１及びフレキシブルプリント配線板４２が固定された位置調整板３０がカメラ本体１０に取り付けられた状態を、ＣＣＤイメージセンサ４０の略中央で左右方向に切断し上端部側から示す一部断面図である。尚、位置調整板３０近傍の構成を明示するため、ＣＣＤイメージセンサ４０、ＬＣＣパッケージ４１及びフレキシブルプリント配線板４２は簡略化されている。また、図３において、一点鎖線は本体１０に設けられた撮影光学系（図示せず）の光軸ＯＰを示す。
【００２４】
上述のように、金属板ばね４３の固定部６０は固定ネジ５１（図１参照）、５２により位置調整板３０に固定され、金属板ばね４４の固定部７０は固定ネジ５３（図１参照）、５４により位置調整板３０に固定されている。ＬＣＣパッケージ４１の右側周縁部には金属板ばね４３の押圧部６１の当接片６１Ｂが当接し、左側周縁部には板ばね４４の押圧部７１の押圧部７１の当接片７１Ｂが当接している。
【００２５】
当接片６１Ｂ及び当接片７１Ｂと位置調整板３０との間に形成される隙間の光軸ＯＰの沿う方向の厚さが、互いにはんだ付けにより接着されたＬＣＣパッケージ４１とフレキシブルプリント配線板４２の光軸ＯＰの沿う方向の厚さよりもわずかに小さくなるよう、押圧部６１の連結片６１Ａの長さと固定片６０に対する角度、及び押圧部７１の連結片７１Ａの長さと固定片７０に対する角度は定められている。従って、ＬＣＣパッケージ４１は、左右周縁部において金属板ばね４３の押圧部６１及び金属板ばね４４の押圧部７１により、常時、位置調整板３０側に付勢され、位置調整板３０に固定されている。
【００２６】
図４は、ＬＣＣパッケージ４１及びフレキシブルプリント配線板４２が固定された位置調整板３０がカメラ本体１０に取り付けられた状態を、ＬＣＣパッケージ４１の左側端部側から示す側面図である。尚、金属板ばね４４近傍の構成を明示するため、図４において一部の部材は省略されている。
【００２７】
金属板ばね４４の付勢部７２及び７３の屈曲部分の山側７２Ａ、７３Ａがデジタルカメラ１の本体１０の壁面に当接し、かつ金属板ばね４３の付勢片６２及び６３（図２参照）の屈曲部分の山側６２Ａ、６３Ａがデジタルカメラ１の本体１０の壁面に当接するよう、位置調整板３０は調整ネジ３１、３２、３３（図１参照）により本体１０に取り付けられる。即ち、金属板ばね４３及び４４のそれぞれの付勢片６２、６３、７２、７３により、位置調整板３０は、常時、本体１０から離れる方向に付勢される。
【００２８】
従って、調整ネジ３１〜３３の締め付けを同程度に強めると付勢片６２、６３、７２、７３の付勢力に抗して位置調整板３０は本体１０へ近づけられ、調整ネジ３１〜３３の締め付けを同程度に弛めると、付勢片６２、６３、７２、７３の付勢力により、位置調整板３０は本体１０から離れる。さらに、各調整ネジの締め付けの度合いを変えることにより、光軸ＯＰに対する位置調整板３０の傾きを調整することができる。
【００２９】
以上のように、調整ネジ３１〜３３の締め付け具合を適宜調整することにより位置調整板３０の本体１０に対する相対的位置が調整される。位置調整板３０の位置調整に応じて、位置調整板３０に固定されたＬＣＣパッケージ４１のＣＣＤイメージセンサ４０の撮像領域の撮影光学系に対する相対的位置が調整される。即ち、ＣＣＤイメージセンサ４０の撮像領域上に撮影光学系の焦点が位置し、かつ撮像領域が光軸ＯＰに対して垂直となるよう調整するためには、調整ネジ３１〜３３の締め付け具合を調整すればよい。
【００３０】
尚、ＣＣＤイメージセンサ４０の撮像領域が撮影光学系の焦点面に一致したら、調整ネジ３１〜３３はネジロック剤（接着剤）などにより本体１０に固定される。従って、外部からの衝撃や長年の使用等によるＣＣＤイメージセンサ４０の撮像領域の撮影光学系の焦点面からのずれが防止される。
【００３１】
【発明の効果】
以上のように、本発明によれば、簡略な構成の固体撮像素子の位置調整機構が得られる。
【図面の簡単な説明】
【図１】本発明に係る実施形態が適用されるＣＣＤイメージセンサの位置調整機構の分解斜視図である。
【図２】ＣＣＤイメージセンサの位置調整機構の板ばねの斜視図である。
【図３】ＣＣＤイメージセンサの位置調整機構の横断面図である。
【図４】ＣＣＤイメージセンサの位置調整機構の側面図である。
【符号の説明】
１  デジタルカメラ
１０  カメラ本体
２０  裏蓋
３０  位置調整板
３１、３２、３３  調整ネジ
４０  ＣＣＤイメージセンサ
４１  ＬＣＣパッケージ
４２  フレキシブルプリント配線板
４３、４４  金属板ばね
６０、７０  固定片
６１、７１  押圧部
６２、６３、７２、７３  付勢片
【図１】
0003857848.tif 000002
【図２】
0003857848.tif 000003
【図３】
0003857848.tif 000004
【図４】
0003857848.tif 000005